(57)【要約】  【課題】  原稿を反転させることなく原稿の両面に形成された画像の読み取りを行うに際して、画質の低下を招くことなく、所望とする領域の画像データを取得する。  【解決手段】  原稿を搬送しつつ、原稿の表面に形成された画像をＣＣＤイメージセンサ７８で読み取り、原稿の裏面に形成された画像をＣＩＳ５０で読み取る。ＣＣＤイメージセンサ７８で読み取られた表面の画像データは画像処理された後そのまま出力され、ＣＩＳ５０で読み取られた裏面の画像データは画像処理された後一旦バッファメモリ２０３に格納され、表面の画像データの出力終了した後に出力される。そして、例えば原稿裏面の読み取り開始側の画像データを出力したい場合には固定バッファ制御によってバッファメモリ２０３に書き込みを行い、例えば原稿裏面の読み取り終了側の画像データを出力したい場合にはリングバッファ制御によってバッファメモリ２０３に書き込みを行う。  【選択図】  図４
2006013822.tif 000002
【特許請求の範囲】
【請求項１】
原稿における第１面の画像データを読み取る第１の読み取り手段と、
前記第１の読み取り手段により前記原稿の第１面の画像データを読み取る際に当該原稿を反転させずに当該原稿の第２面の画像データを読み取る第２の読み取り手段と、
前記第２の読み取り手段により読み取られた前記原稿の第２面の画像データが格納される格納手段と、
前記第１の読み取り手段により読み取られた前記原稿の第１面の画像データを後段に出力した後に、前記格納手段に格納された当該原稿の第２面の画像データを当該後段に出力する出力手段と、
前記格納手段に前記第２面の画像データを格納するに際して、同一原稿における当該第２面の画像データの上書きを禁止する固定バッファ制御と同一原稿における当該第２面の画像データの上書きを許可するリングバッファ制御とを切り換える切換手段と
を含む画像読み取り装置。
【請求項２】
前記切換手段は、前記第２面の画像データのうち前記第２の読み取り手段による読み取り開始側のデータを前記格納手段に残す場合には前記固定バッファ制御に切り換えを行い、当該第２面の画像データのうち当該第２の読み取り手段による読み取り終了側のデータを前記格納手段に残す場合には前記リングバッファ制御に切り換えを行うことを特徴とする請求項１記載の画像読み取り装置。
【請求項３】
原稿における第１面の画像データを読み取る第１の読み取り手段と、
前記第１の読み取り手段により前記原稿の第１面の画像データを読み取る際に当該原稿を反転させずに当該原稿の第２面の画像データを読み取る第２の読み取り手段と、
前記第２の読み取り手段により読み取られた前記原稿の第２面の画像データが格納される格納手段と、
前記第１の読み取り手段により読み取られた前記原稿の第１面の画像データを後段に出力した後に、前記格納手段に格納された当該原稿の第２面の画像データを当該後段に出力する出力手段と、
前記原稿の第２面全領域のうち出力すべき領域を認識する認識手段と、
前記認識手段により認識された前記出力すべき領域に対応する画像データを前記格納手段に格納させるための設定を行う格納設定手段と
を含む画像読み取り装置。
【請求項４】
前記認識手段は、前記原稿の開き方向および当該原稿に形成される画像の向きをさらに認識し、
前記格納設定手段は、前記認識手段により認識された前記原稿の開き方向および前記原稿に形成される画像の向きに基づいて、前記出力すべき領域に対応する画像データを前記格納手段に格納させるための設定を行うことを特徴とする請求項３記載の画像読み取り装置。
【請求項５】
前記格納設定手段は、前記格納手段に前記出力すべき領域に画像データを格納させる手順として、当該格納手段における当該第２面の画像データの上書きを禁止する固定バッファ制御または当該格納手段における当該第２面の画像データの上書きを許可するリングバッファ制御を設定することを特徴とする請求項３記載の画像読み取り装置。
【請求項６】
原稿の画像データを読み取る読み取り手段と、
前記読み取り手段により読み取られた画像データに拡大処理を施す拡大処理手段と、
前記拡大処理手段により拡大処理が施された画像データが格納される格納手段と、
前記格納手段のメモリ容量よりも前記拡大処理が施された画像データのデータ量が多い場合に、当該拡大処理が施された画像データにおける出力すべき領域の画像データを前記格納手段に格納させる格納制御手段と
を含む画像読み取り装置。
【請求項７】
前記格納制御手段は、前記格納手段における前記拡大された画像データの上書きを禁止する固定バッファ制御または当該格納手段における当該拡大された画像データの上書きを許可するリングバッファ制御とを切り換えることを特徴とする請求項６記載の画像読み取り装置。
【発明の詳細な説明】
【技術分野】
【０００１】
本発明は、原稿に形成された画像を読み取る画像読み取り装置に係り、特に、原稿の両面に形成された画像を、原稿を反転させずに読み取ることのできる画像読み取り装置に関する。
【背景技術】
【０００２】
従来、複写機やファクシミリ等の読み取り装置、コンピュータ入力用のスキャナ等として、原稿における表裏両面の画像情報をユーザの介在なしに自動的に読み取る画像読み取り装置(自動両面読み取り装置)が用いられている。これらの自動両面読み取り装置としては、原稿反転部にて原稿を表裏反転させて読み取る方法が最も広く採用されている。表裏反転させて画像情報を入力する際には、特定の原稿読み取り部で表面の画像を読み取った後、この原稿を表裏反転させて再びこの特定の原稿読み取り部に搬送し、裏面の画像を読み取る。しかし、この表裏反転による自動両面読み取りでは、一旦、原稿を排出した後に反転させて再度原稿読み取り部に搬送する必要があることから、両面読み取りに際して多くの時間がかかり、両面読み取りの生産性が低下してしまう。そこで、例えば原稿を搬送する原稿パスの表裏両面側にそれぞれイメージセンサを設けることで、原稿を表裏反転させることなく、１回の原稿搬送にて原稿の両面を自動的に読み取る両面同時読み取りを可能とした技術が提案されている。
【０００３】
この種の画像読み取り装置では、１回の原稿搬送にて原稿の両面の画像を読み取り、例えば、読み取られた原稿表面の画像データはそのまま後段へと出力する一方、同時に読み取られた原稿裏面の画像データは一旦バッファメモリに格納し、原稿表面の画像データの後段への出力が終了した後にバッファメモリから原稿裏面の画像データを読み出して後段へと出力している。このため、バッファメモリとしては、画像読み取り装置にて読み取り可能な最大サイズの原稿(例えばＡ３など)の画像データを格納できる容量のものが使用される。
また、画像読み取り装置では、原稿の画像を拡大して読み取る拡大読み取り機能を有するものが多く存在する。このような画像読み取り装置では、拡大読み取りを行うに際して、例えば原稿の搬送速度を遅くすることによって副走査方向の解像度を向上させ、画像データ量を増加させている。
【０００４】
しかしながら、上述した両面同時読み取りにおいて拡大読み取りを行おうとすると、拡大する倍率によっては、拡大後の裏面画像データの量がバッファメモリのメモリ容量を超えてしまうことがあった。このようにして拡大後の裏面画像データの量がバッファメモリのメモリ容量を超えてしまうと、裏面画像データにおける副走査方向下流側のデータをバッファメモリに書き込めなくなってしまう。すると、例えばユーザが原稿裏面の副走査方向下流側の画像データを欲していた場合には、該当する領域の画像データが取得できなくなる。
【０００５】
そこで、従来、読み取り対象となる原稿のサイズと拡大倍率とから拡大後の画像データ量を求め、拡大後の画像データの量がバッファメモリの容量を超える場合には、バッファメモリに格納できるような解像度に対応する搬送速度で画像読み取りを行い、得られた画像データをバッファメモリに格納し、バッファメモリから出力された画像データに対して電気的な拡大処理を施すようにした技術が存在する(例えば特許文献１参照。)。なお、この特許文献１では、拡大後の画像データの量がバッファメモリの容量以下になる場合には、従来通り、拡大倍率に応じた搬送速度にて画像読み取りを行い、得られた拡大後の画像データをバッファメモリに格納し、その後に出力している。
【０００６】
【特許文献１】特開２００２−３１４８０１号公報(第７−８頁、図７)
【発明の開示】
【発明が解決しようとする課題】
【０００７】
しかしながら、上記特許文献１では、拡大後の画像データの量がバッファメモリの容量を超える場合に、読み取って得られた画像データに対して電気的な拡大処理を施しているため、拡大倍率に応じた搬送速度にて読み取りを行う場合に比べて解像度が低下し、得られる画質が劣化してしまう。
また、バッファメモリの容量を多くすることも考えられるが、現在の画像読み取り装置では例えばＡ３サイズの原稿を４００％の拡大倍率で読み取ることも可能となっているため、これに対応するためには準備すべきバッファメモリの容量を著しく多くしておく必要があり、かかるコストも嵩んでしまう。
【０００８】
さらに、例えば拡大コピーを実行するような場合には、原稿の全面ではなく、ユーザが必要とする原稿の一部領域の画像データだけを取得できればよいことがある。例えば、Ａ３原稿を２００％の拡大倍率で拡大してＡ３用紙にコピーするような場合である。ただし、上記特許文献１では、この場合にも原稿を読み取って得られた原稿の全面の画像データに対して電気的な拡大処理を施すことになるため、高画質の画像データを取得することはできない。
【０００９】
本発明は、かかる技術的課題を解決するためになされたものであって、その目的とするところは、原稿を反転させることなく原稿の両面に形成された画像の読み取りを行うに際して、画質の低下を招くことなく、所望とする領域の画像データを取得することにある。
また、他の目的は、拡大読み取りを行うことによって画像データのデータ量がメモリの容量を超えてしまうような場合にも、所望とする領域の画像データを取得できるようにすることにある。
【課題を解決するための手段】
【００１０】
かかる目的のもと、本発明が適用される画像読み取り装置は、原稿における第１面の画像データを第１の読み取り手段で読み取り、第１の読み取り手段により原稿の第１面の画像データを読み取る際に原稿を反転させずに原稿の第２面の画像データを第２の読み取り手段で読み取り、第２の読み取り手段により読み取られた原稿の第２面の画像データが格納手段に格納され、第１の読み取り手段により読み取られた原稿の第１面の画像データを後段に出力した後に、格納手段に格納された原稿の第２面の画像データを後段に出力手段で出力し、格納手段に第２面の画像データを格納するに際して、同一原稿における第２面の画像データの上書きを禁止する固定バッファ制御と同一原稿における第２面の画像データの上書きを許可するリングバッファ制御とを切換手段で切り換える。
ここで、切換手段は、第２面の画像データのうち第２の読み取り手段による読み取り開始側のデータを格納手段に残す場合には固定バッファ制御に切り換えを行い、第２面の画像データのうち第２の読み取り手段による読み取り終了側のデータを格納手段に残す場合にはリングバッファ制御に切り換えを行うことを特徴とすることができる。
【００１１】
また、他の観点から捉えると、本発明が適用される画像読み取り装置は、原稿における第１面の画像データを第１の読み取り手段で読み取り、第１の読み取り手段により原稿の第１面の画像データを読み取る際に原稿を反転させずに原稿の第２面の画像データを第２の読み取り手段で読み取り、第２の読み取り手段により読み取られた原稿の第２面の画像データが格納手段に格納され、第１の読み取り手段により読み取られた原稿の第１面の画像データを後段に出力した後に、格納手段に格納された原稿の第２面の画像データを後段に出力手段で出力し、原稿の第２面全領域のうち出力すべき領域を認識手段で認識し、認識手段により認識された出力すべき領域に対応する画像データを格納手段に格納させるための設定を格納設定手段で行う。
【００１２】
ここで、認識手段は、原稿の開き方向および原稿に形成される画像の向きをさらに認識し、格納設定手段は、認識手段により認識された原稿の開き方向および原稿に形成される画像の向きに基づいて、出力すべき領域に対応する画像データを格納手段に格納させるための設定を行うことを特徴とすることができる。また、格納設定手段は、格納手段に出力すべき領域に画像データを格納させる手順として、格納手段における第２面の画像データの上書きを禁止する固定バッファ制御または格納手段における第２面の画像データの上書きを許可するリングバッファ制御を設定することを特徴とすることができる。
【００１３】
さらに、他の観点から捉えると、原稿の画像データを読み取り手段で読み取り、読み取り手段により読み取られた画像データに拡大処理手段で拡大処理を施し、拡大処理手段により拡大処理が施された画像データが格納手段に格納され、格納手段のメモリ容量よりも拡大処理が施された画像データのデータ量が多い場合に、拡大処理が施された画像データにおける出力すべき領域の画像データを格納手段に格納制御手段により格納させる。
ここで、格納制御手段は、格納手段における拡大された画像データの上書きを禁止する固定バッファ制御または格納手段における拡大された画像データの上書きを許可するリングバッファ制御とを切り換えることを特徴とすることができる。
【発明の効果】
【００１４】
本発明によれば、原稿を反転させることなく原稿の両面に形成された画像の読み取りを行うに際して、画質の低下を招くことなく、所望とする領域の画像データを取得することができる。
【発明を実施するための最良の形態】
【００１５】
以下、添付図面を参照して、本発明を実施するための最良の形態(以下、実施の形態という)について詳細に説明する。
図１は本実施の形態が適用される画像読み取り装置を示した図である。この画像読み取り装置は、積載された原稿束から原稿を順次、搬送する原稿送り装置１０、スキャンによって画像を読み込む第２の読み取り部としてのスキャナ装置７０、および読み込まれた画像信号を処理する処理装置８０に大別される。
【００１６】
原稿送り装置１０は、給紙部の構成要素の一例として、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により上昇された原稿トレイ１１の原稿をさらに下流側まで搬送するフィードロール１４、ナジャーロール１３により供給される原稿を一枚ずつに捌くリタードロール１５を備えている。最初に原稿が搬送される搬送路としての第１搬送路３１には、一枚ずつに捌かれた原稿を下流側のロールまで搬送するテイクアウェイロール１６、原稿をさらに下流側のロールまで搬送すると共にループ形成を行うプレレジロール１７、一旦停止した後にタイミングを合わせて回転を再開し、原稿読み取り部に対してレジストレーション調整を施しながら原稿を供給するレジロール１８、読み込み中の原稿搬送をアシストするプラテンロール１９、読み込まれた原稿をさらに下流に搬送するアウトロール２０を備えている。また、第１搬送路３１には、搬送される原稿のループ状態に応じて支点を中心に回動するバッフル４１を備えている。さらに、プラテンロール１９とアウトロール２０との間には、ＣＩＳ(Contact Image Sensor)５０が設けられている。
【００１７】
アウトロール２０の下流側には、第２搬送路３２および第３搬送路３３が設けられ、これらの搬送路を切り替える搬送路切替ゲート４２、読み込みが終了した原稿を積載させる排出トレイ４０、排出トレイ４０に対して原稿を排出させる第１排出ロール２１を備えている。また、第３搬送路３３を経由した原稿をスイッチバックさせる第４搬送路(インバータパス)３４、第４搬送路３４に設けられ、実際に原稿のスイッチバックを行うインバータロール２２およびインバータピンチロール２３、第４搬送路３４によってスイッチバックされた原稿を再度、プレレジロール１７等を備える第１搬送路３１に導く第５搬送路３５、第４搬送路３４によってスイッチバックされた原稿を排出トレイ４０に排出する第６搬送路３６、第６搬送路３６に設けられ、反転排出される原稿を第１排出ロール２１まで搬送する第２排出ロール２４、第５搬送路３５および第６搬送路３６の搬送経路を切り替える出口切替ゲート４３を備えている。
【００１８】
ナジャーロール１３は、待機時にはリフトアップされて待避位置に保持され、原稿搬送時にニップ位置(原稿搬送位置)へ降下して原稿トレイ１１上の最上位の原稿を搬送する。ナジャーロール１３およびフィードロール１４は、フィードクラッチ(図示せず)の連結によって原稿の搬送を行う。プレレジロール１７は、停止しているレジロール１８に原稿先端を突き当ててループを形成する。レジロール１８では、ループ形成時に、レジロール１８に噛み込んだ原稿先端をニップ位置まで戻している。このループが形成されると、バッフル４１は支点を中心として開き、原稿に形成されるループを妨げることのないように機能している。また、テイクアウェイロール１６およびプレレジロール１７は、読み込み中における原稿のループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって原稿が第２プラテンガラス７２Ｂ(後述)に押圧されて、後述するＣＣＤ(Charge Coupled Device)イメージセンサ７８によって下面方向から画像データが読み込まれる。
【００１９】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ(図示せず)がオフの状態でリトラクトされてニップが開放され、原稿を第４搬送路３４へ導いている。その後、このインバータピンチロール２３はニップされ、インバータロール２２によってインバートする原稿をプレレジロール１７へと導き、また、反転排出する原稿を第６搬送路３６の第２排出ロール２４まで搬送している。
【００２０】
スキャナ装置７０は、上述した原稿送り装置１０を載置可能に構成されると共に、この原稿送り装置１０を装置フレーム７１によって支え、また、原稿送り装置１０によって搬送された原稿の画像読み取りを行っている。このスキャナ装置７０は、筐体を形成する装置フレーム７１に、画像を読み込むべき原稿を静止させた状態で載置する第１プラテンガラス７２Ａ、原稿送り装置１０によって搬送中の原稿を読み取るための光の開口部を有する第２プラテンガラス７２Ｂを備えている。
【００２１】
また、第１の読み取り手段としてのスキャナ装置７０は、第２プラテンガラス７２Ｂの下に静止し、および第１プラテンガラス７２Ａの全体にわたってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する照明ランプ７４、原稿から得られた反射光を受光する第１ミラー７６Ａが備えられている。さらに、ハーフレートキャリッジ７５には、第１ミラー７６Ａから得られた光を結像部へ提供する第２ミラー７６Ｂおよび第３ミラー７６Ｃが備えられている。さらにまた、スキャナ装置７０は、第３ミラー７６Ｃから得られた光学像を光学的に縮小する結像用レンズ７７、結像用レンズ７７によって結像された光学像を光電変換するＣＣＤイメージセンサ７８、ＣＣＤイメージセンサ７８が装着される駆動基板７９を備え、ＣＣＤイメージセンサ７８によって得られた画像信号が駆動基板７９を介して処理装置８０に送られる。つまり、スキャナ装置７０では、所謂縮小光学系を用いてイメージセンサとしてのＣＣＤイメージセンサ７８に像を結像させている。
【００２２】
ここで、まず、第１プラテンガラス７２Ａに載置された原稿の画像を読み取る場合には、フルレートキャリッジ７３とハーフレートキャリッジ７５とが、２：１の割合でスキャン方向(矢印方向)に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向(スキャンの主走査方向)にフルレートキャリッジ７３を移動させ、原稿の次のラインを読み取る。これを原稿全体に亘って実行することで、１ページの原稿読み取りを完了させる。
【００２３】
一方、第２プラテンガラス７２Ｂは、例えば長尺の板状構造をなす透明なガラスプレートで構成される。原稿送り装置１０によって搬送される原稿がこの第２プラテンガラス７２Ｂの上を通過する。このとき、フルレートキャリッジ７３とハーフレートキャリッジ７５とは、図１に示す実線の位置に停止した状態にある。まず、原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、ＣＣＤイメージセンサ７８によって画像が読み込まれる。すなわち、１次元のセンサであるＣＣＤイメージセンサ７８によって主走査方向の１ライン分を同時に処理した後、原稿送り装置１０によって搬送される原稿の次の主走査方向の１ラインが読み込まれる。原稿の先端が第２プラテンガラス７２Ｂの読み取り位置に到達した後、この原稿が第２プラテンガラス７２Ｂの読み取り位置を通過することによって、副走査方向に亘って１ページの原稿読み取りを完了させる。
【００２４】
本実施の形態では、フルレートキャリッジ７３とハーフレートキャリッジ７５とを停止させ、第２プラテンガラス７２ＢにてＣＣＤイメージセンサ７８により原稿の第１面(表面)の読み取りを行う原稿の搬送時に、同時(時間の完全一致ではなく、同一の原稿搬送時程度の意味)にＣＩＳ５０によって、原稿の第２面(裏面)の読み取りを行うことが可能である。すなわち、ＣＣＤイメージセンサ７８とＣＩＳ５０とを用いて、搬送路への原稿の一度の搬送で、この原稿における表裏両面の画像を同時に読み取ることを可能としている。
【００２５】
図２は、第２の読み取り手段(読み取り手段)としてのＣＩＳ５０を用いた読み取り構造を説明するための図である。図２に示すように、ＣＩＳ５０は、プラテンロール１９とアウトロール２０との間に設けられる。原稿の片面(第１面)は、第２プラテンガラス７２Ｂに押し当てられ、この第１面の画像はＣＣＤイメージセンサ７８にて読み込まれる。一方、ＣＩＳ５０では、原稿を搬送する搬送路を介して対向する他方の側から、片面(第２面)の画像が読み込まれる。このＣＩＳ５０は、ハウジング５０ａと、ハウジング５０ａに設けられた開口部に取り付けられるカバーガラス(ガラス)５１と、このカバーガラス５１を透過して原稿の第２面に光を照射する光源としてのＬＥＤ(Light Emitting Diode)５２と、ＬＥＤ５２からの反射光を集光するレンズアレイであるセルフォックレンズ(登録商標)５３と、このセルフォックレンズ５３により集光された光を読み取るラインセンサ５４を備えている。ＬＥＤ５２は、複数のＬＥＤを並列に並べたＬＥＤアレイからなる。ラインセンサ５４としては、ＣＣＤやＣＭＯＳセンサ、密着型センサ等を用いることができ、実寸幅(例えばＡ４長手幅２９７ｍｍ)の画像を読み取ることが可能である。ＣＩＳ５０では、縮小光学系を用いずに、セルフォックレンズ５３とラインセンサ５４を用いて画像の取り込みを行うことから、構造をシンプルにすることができ、且つ、筐体を小型化し、消費電力を低減することができる。なお、カラー画像を読み込む場合には、ＬＥＤ５２にＲ(赤)Ｇ(緑)Ｂ(青)の３色のＬＥＤ光源を組み合わせるかあるいは白色のＬＥＤ光源を用い、ラインセンサ５４としてＲＧＢ３色用の３列一組のセンサを用いれば良い。
【００２６】
また、ＣＩＳ５０による画像読み取りに際して、この読み取り部を構成する搬送路に、ＣＩＳ５０の筐体から延びる制御部材５５、制御部材５５によって押し付けられた原稿を突き当てる突き当て部材６０を備えている。ここで、制御部材５５はＣＩＳ５０を介して原稿送り装置１０(図１参照)に取り付けられているが、突き当て部材６０はスキャナ装置７０(図１参照)に取り付けられている。また、この突き当て部材６０の下流側にはガイド部材６１が設けられ、このガイド部材６１と突き当て部材６０との間には開口部６３を構成し、更に、ガイド部材６１の下部であって開口部６３に連続する箇所には、原稿に付着してきたごみや汚れを溜めるごみ溜め部６２が設けられている。制御部材５５および突き当て部材６０は、原稿の搬送路に直交する方向に(即ち、原稿送り装置１０の前面から後面の方向に)、原稿送り装置１０の前面から後面まで、搬送路の位置に対応して設けられている。
【００２７】
さらに、ＣＩＳ５０は、光学結像レンズにセルフォックレンズ５３を採用していることから、焦点(被写界)深度が±０.３ｍｍ程度と浅く、スキャナ装置７０を用いた場合に比べて約１/１３以下の深度となっている。このため、ＣＩＳ５０による読み取りに際しては、原稿の読み取り位置を所定の狭い範囲内に定めることが要求される。そこで、本実施の形態では、搬送路に面して制御部材５５を設け、原稿を制御部材５５によって突き当て部材６０に押し当てて搬送し、プラテンロール１９とアウトロール２０との間にある原稿の姿勢を安定的に制御できるように構成した。図２の二点鎖線矢印は、制御部材５５を設けた場合の原稿の動きを示したものである。原稿が制御部材５５によって突き当て部材６０に押し当てられつつ搬送されていることが理解できる。すなわち、制御部材５５によって搬送される原稿を突き当て部材６０に押し当てられた状態で読み取ることで、被写界深度の深いＣＩＳ５０を用いた場合のピントの甘さを改善している。
【００２８】
次に、図１に示す処理装置８０について説明する。
図３は、処理装置８０を説明するためのブロック図である。本実施の形態が適用される処理装置８０は、大きく、センサ(ＣＣＤイメージセンサ７８およびＣＩＳ５０)から得られた画像情報を処理する信号処理部８１と、原稿送り装置１０およびスキャナ装置７０を制御する制御部９０とを備えている。信号処理部８１は、表面(第１面)を読み取るＣＣＤイメージセンサ７８および裏面(第２面)を読み取るＣＩＳ５０のラインセンサ５４からの各々の出力に対して所定の画像処理を施している。この信号処理部８１は、ＣＩＳ５０(ラインセンサ５４)からの出力に対してアナログ信号の処理を行うＡＦＥ(Analog Front End)８２、アナログ信号をディジタル信号に変換するＡＤＣ(Analog to Digital Converter)８３を有している。但し、これらの機能は、ＣＩＳ５０の内部にて処理されるように構成することもできる。また、信号処理部８１は、ディジタル信号に対してシェーディング補正やオフセット補正等の各種処理を施す画像処理回路が２系統、備えられており、表面(第１面)の画像データに対して画像処理を施す第１画像処理回路１００、裏面(第２面)の画像データに対して画像処理を施す第２画像処理回路２００を備えている。これらの画像処理回路からの出力は、例えばプリンタ等のＩＯＴ(Image Output Terminal)や、パーソナルコンピュータ(ＰＣ)等のホストシステムへ出力される。
【００２９】
一方、制御部９０は、各種両面読み取りの制御や片面読み取りの制御等を含め、原稿送り装置１０およびスキャナ装置７０の全体を制御する画像読み取りコントロール９１、ＣＣＤイメージセンサ７８およびＣＩＳ５０を制御するＣＣＤ/ＣＩＳコントロール９２、読み取りタイミングに合わせてＣＩＳ５０のＬＥＤ５２やフルレートキャリッジ７３の照明ランプ７４を制御するランプコントロール９３、スキャナ装置７０におけるモータのオン/オフなどを行いフルレートキャリッジ７３とハーフレートキャリッジ７５とのスキャン動作を制御するスキャンコントロール９４、原稿送り装置１０におけるモータの制御、各種ロールの動作やフィードクラッチの動作、ゲートの切り替え動作等を制御する搬送機構コントロール９５を備えている。これらの各種コントロールからは、原稿送り装置１０およびスキャナ装置７０に対して制御信号が出力され、かかる制御信号に基づいて、これらの動作制御が可能となる。画像読み取りコントロール９１は、ホストシステムからの制御信号や、例えば自動選択読み取り機能に際して検出されるセンサ出力、ユーザからの選択等に基づいて、読み取りモードを設定し、原稿送り装置１０およびスキャナ装置７０を制御している。読み取りモードとしては、後述する１パス(反転なし)による両面同時読み取りモード、反転パスによる反転両面読み取りモード、１パスによる片面読み取りモード等が考えられる。
【００３０】
次に、各画像処理回路(第１画像処理回路１００および第２画像処理回路２００)の機能および動作について説明する。
図４は、信号処理部８１の構成を更に詳述したブロック図である。第１画像処理回路１００は、全体の制御を行う第１ＣＰＵ１０１、ＣＣＤイメージセンサ７８から出力された表面画像データに対してサンプルホールドやオフセット調整、Ａ/Ｄ変換等を行うＡＦＥ１０２、また、表裏の画像データを選択して出力するための出力手段としてのセレクタ(ＳＥＬ)１０３を備えている。更に、シェーディング補正やライン補間(ＲＧＢの位置ずれ補間)等を実行するＡ集積回路(ＡＳＩＣ-Ａ)１１０、ＭＴＦフィルタや縮拡処理、２値化処理等を実行するＢ集積回路(ＡＳＩＣ-Ｂ)１３０を備えている。
【００３１】
一方、第２画像処理回路２００は、全体の制御を行う切換手段、格納設定手段、格納制御手段としての第２ＣＰＵ２０１、例えば工場出荷時の白基準シェーディングデータを保存(格納)するフラッシュＲＯＭ(ＦＲＯＭ)２０２、ＣＩＳ５０から得られた裏面画像データに対して各種画像処理を施すＣ集積回路(ＡＳＩＣ-Ｃ)２１０、画像処理が施された裏面画像データを一旦、保持し、所定の出力タイミングに合わせてセレクタ１０３へ出力するための格納手段としてのバッファメモリ２０３を備えている。本実施の形態では、裏面読み取り用の密着型イメージセンサであるＣＩＳ５０で、工場出荷時に予め白基準部材(図示せず)を読み取ることによって得られた白基準のシェーディングデータを、フラッシュＲＯＭ(ＦＲＯＭ)２０２に保存している。また、バッファメモリ２０３は、ＣＩＳ５０にて読み取り可能な最大サイズの原稿(例えばＡ３サイズ)の画像データを格納できるだけの容量を有している。
【００３２】
図５は、Ａ集積回路(ＡＳＩＣ-Ａ)１１０の構成を示したブロック図である。Ａ集積回路１１０は、シェーディングメモリ１２１に格納されたシェーディングデータに基づいてＣＣＤイメージセンサ７８による読み取りデータにシェーディングデータ補正を施すシェーディング補正部１１１、ＲＧＢ３色のラインセンサの位置を補正するＧＡＰ補正部１１２、黒線を補正する黒線補正部１１３、入力側階調補正をするＥＮＬ１１５、ＢＧＲ→Ｌ*,ａ*,ｂ*に変換する色空間変換１１６を備えている。また、ＣＣＤイメージセンサ７８及びＡＦＥ１０２の駆動クロックを生成するタイミング生成部１１９、第１ＣＰＵ１０１との通信を行うＣＰＵインタフェース１２０を備えている。
【００３３】
図６は、Ｂ集積回路(ＡＳＩＣ-Ｂ)１３０の構成を示したブロック図である。Ｂ集積回路１３０は、ＭＴＦ補正や平滑化を行うディジタルフィルタ部１３１、原稿搬送方向である副走査方向に対して縮小処理を施す副走査縮小部１３２、原稿搬送方向に直交する方向であってＣＣＤイメージセンサ７８の走査方向である主走査方向に対する拡大縮小処理を施す主走査拡大縮小部１３３、読み取り原稿の下地を除去する下地除去部１３５、Ｌ*,ａ*,ｂ*→Ｙ,Ｍ,Ｃ,Ｋに色空間変換するルックアップテーブル(ＬＵＴ)１３６を備えている。また、読み取り原稿の下地を検知する下地検知部１３９、第１ＣＰＵ１０１との通信を行うＣＰＵインタフェース１４０を備えている。
【００３４】
図７は、Ｃ集積回路(ＡＳＩＣ-Ｃ)２１０の構成を示したブロック図である。Ｃ集積回路２１０は、Ｏｄｄ/Ｅｖｎからなる２チャンネルの出力信号の合成を行うマルチプレックス(ＭＰＸ Ｏ／Ｅ合成)回路２１１、シェーディングメモリ２２１に格納されたシェーディングデータに基づいてＣＩＳ５０による読み取りデータにシェーディング補正を施すシェーディング補正部２１２、黒線を補正する黒線補正部２１３、入力階調補正を実行するＬ＊変換(ＬＵＴ)部２１４、副走査方向に対して縮小処理を施す副走査縮小部２１５、主走査方向に対する拡大縮小処理を施す主走査拡大縮小部２１６、ＭＴＦ補正や平滑化を行うフィルタ部２１７、下地検知部２２２による下地検知結果に基づいて下地除去を行う下地除去部２１８、出力階調補正を行うルックアップテーブル(ＬＵＴ)２１９、２値化を行う誤差拡散処理(Ｐａｃｋｉｎｇ誤差拡散)部２２０を備えている。また、第２ＣＰＵ２０１との通信を行うＣＰＵインタフェース２２３を備えている。なお、本実施の形態に係る画像読み取り装置では、拡大読み取り時に原稿の搬送速度を低下させながら読み取りを行い、読み取られた拡大された画像データを上述した副走査縮小部２１５にて縮小処理することにより、所望とする拡大倍率の画像データを取得するようになっている。つまり、図３に示すスキャンコントロール９４や搬送機構コントロール９５、そして副走査縮小部２１５や主走査拡大縮小部２１６等によって拡大処理手段が構成される。
【００３５】
図８は、図３に示す画像読み取りコントロール９１によって実行される処理の一例を示したフローチャートである。画像読み取りコントロール９１では、まず、搬送される原稿が片面原稿か否かが判断される(ステップ１１)。この判断は、例えば、スキャナ装置７０上に設けられたコントロールパネル(図示せず)を用いたユーザからの選択や、例えば自動選択読み取り機能が働いている場合には、画像読み込み前の第１搬送路３１上の搬送路両側に設けられたセンサ(図示せず)等によって認識することができる。また、ホストシステムからの要請や、ネットワーク等を介したユーザからの選択なども考えられる。このステップ１１で片面原稿であると判断される場合には、１パス(反転パスを用いない１回だけの原稿搬送パス)による片面読み取りが行われる(ステップ１２)。この１パスによる片面読み取りでは、ＣＣＤイメージセンサ７８による読み取りとＣＩＳ５０による読み取りとをどちらを選択しても良いが、より高画質な画像読み取りを実現する場合には、ＣＣＤイメージセンサ７８による読み取りを選択することが好ましい。かかる際には、原稿トレイ１１上に、上向きに片面の原稿部分が存在すると共に原稿の１ページ目が上に来るように載置し、この１ページ目から原稿を搬送して順に読み取られる。
【００３６】
ここで、ステップ１１で片面原稿ではない場合、即ち、両面原稿である場合には、原稿が白・黒原稿であるか否かが判断される(ステップ１３)。このステップ１３の判断は、ステップ１１と同様に、ユーザからの選択または自動選択読み取り機能によって判断される。カラー原稿であってもユーザが白・黒読み取りを望む場合もある。白・黒読み取りを行わない場合、即ち、カラー読み取りを行う場合には、画質が重視されるか否かが判断される(ステップ１４)。例えば、カラー写真やパンフレット等のカラー画像の場合には、一般に、読み取り速度を上げる生産性よりも画質が重視される。かかる判断もユーザの設定等によってなされる。このステップ１４で画質を重視すると判断される場合には、第１の両面読み取りモードである、反転パスによる両面読み取りが実行される(ステップ１５)。即ち、ＣＩＳ５０による読み取りを行わず、原稿の第１面および原稿の第２面を共に第１のセンサであるＣＣＤイメージセンサ７８によって読み取るのである。これによって、原稿の第１面および原稿の第２面に対し、共に、焦点深度の深い読み取り手段を用いた高画質な両面読み取りが可能となる。
【００３７】
一方、ステップ１３で白・黒読み取りを行う場合、または、ステップ１４で、カラー画像出力を必要とする場合であっても、例えばビジネスカラー等の微妙な色合い等が重視されない場合や、プラス１カラーの場合(黒以外に赤や青等、他の１色のカラーを含む場合)など、画質をあまり重視せず、生産性等の他の要因が重視される場合には、第２の両面読み取りモードである、反転パスを用いない、１パスによる両面同時読み取りが行われる(ステップ１６)。即ち、第１のセンサであるＣＣＤイメージセンサ７８によって第１面を読み取り、この読み取りの搬送パスに際して、同じ搬送パスにてＣＩＳ５０による第２面の読み取りが行われる。これによって、同一の読み取り部へ原稿を２度、搬送する必要がなく、原稿読み取りスピードを向上させることができると共に、搬送パスが簡潔化されることで、原稿詰まり(ＪＡＭ)等の原稿搬送トラブルを抑制することができる。尚、前述したように、「同時読み取り」とは、必ずしも時間的に一致する場合を意味するものではなく、両面を１回のパスにてほぼ同時期に読み取るという意味である。
【００３８】
なお、図８に示す処理フローを簡潔化し、両面原稿読み取りにおいて、白黒原稿の読み取りの場合には、ステップ１６の両面同時読み取りを実行し、カラー原稿の場合には、ステップ１５の反転パスによって順次、原稿を読み取るように構成することも可能である。また、原稿面の種類に応じて、これらのモードをミックスして用いることもできる。
【００３９】
次に、各原稿読み取りモードにおける原稿の搬送方法について、図９および図１０を用いて説明する。
図９(ａ),(ｂ)は、図８のステップ１２に示した１パスによる片面読み取りモードと、ステップ１６に示した１パスによる両面同時読み取りモードの原稿パスを示した図である。図９(ａ)に示すように、原稿トレイ１１に載置された原稿は、ナジャーロール１３、フィードロール１４およびリタードロール１５、テイクアウェイロール１６によって、第１搬送路３１に順次、供給される。供給された原稿は、図９(ｂ)に示すように、プラテンロール１９の読み取り部およびＣＩＳ５０の読み取り部を経由して、搬送路切替ゲート４２によって第２搬送路３２に移動し、排出トレイ４０に、順次、排出される。片面読み取りの場合には、プラテンロール１９の箇所にて、下方から、図１に示すスキャナ装置７０のＣＣＤイメージセンサ７８を用いた読み取りがなされる。但し、前述のように、ＣＩＳ５０を用いた片面読み取りも可能である。また、１パスによる両面同時読み取りの場合には、スキャナ装置７０のＣＣＤイメージセンサ７８を用いて第１面を読み取り、同一搬送時にＣＩＳ５０を用いて第２面を読み取る。これによって、１回の原稿パスによって両面の原稿読み取りを行うことが可能となる。
【００４０】
図１０(ａ)〜(ｄ)は、図８のステップ１５に示した反転パスによる両面読み取り、即ち、第１の両面読み取りモードを説明するための図である。図１０(ａ)に示すように、原稿トレイ１１に載置された原稿は、第１搬送路３１に順次、供給され、図１に示すスキャナ装置７０のＣＣＤイメージセンサ７８を用いて、プラテンロール１９の箇所にて下方から読み取りがなされる。そして、搬送路切替ゲート４２によって第３搬送路３３を経由し、第４搬送路３４へ移動する。第３搬送路３３を完全に抜けた原稿は、図１０(ｂ)に示すように、インバータロール２２およびインバータピンチロール２３によってスイッチバックし、第５搬送路３５に供給される。
【００４１】
第５搬送路３５に供給された原稿は、再度、第１搬送路３１に供給される。そして、図１０(ｃ)に示すように、原稿がスキャナ装置７０のＣＣＤイメージセンサ７８によって下方から読み取られる。このとき、原稿は、図１０(ａ)に示す場合とは表裏が反転した状態にあり、第１面とは表裏を異ならせる第２面が読み取られることとなる。第２面が読み取られた原稿は、表裏が反転された状態にあり、そのまま排出トレイ４０に排出すると積載された読み取り後の原稿のページ順が狂うことになる。そこで、図１０(ｃ)に示すように、第２面の読み取りが完了した原稿を搬送路切替ゲート４２を用いて第３搬送路３３を経由させ、第４搬送路３４に移動する。第４搬送路３４に供給され、出口切替ゲート４３の部分を完全に通過した原稿は、図１０(ｄ)に示すように出口切替ゲート４３によって第６搬送路３６を経由し排出トレイ４０に排出される。これによって、原稿における表裏両面の画像を順次、読み取る第１の両面読み取りモードにおいて、読み取り後の原稿のページ順を揃えることが可能となる。
【００４２】
この画像読み取り装置では、第１のセンサであるＣＣＤイメージセンサ７８を用いて原稿の片面(第１面)を読み取った後、原稿を反転させて他の片面(第２面)をこの第１のセンサで順次、読み取る第１の両面読み取りモードと、この第１のセンサと共に、第１のセンサとは搬送路を介して対向する他方の側に設けられる第２のセンサであるＣＩＳ５０を用いて、原稿を一度の搬送で表裏両面(第１面および第２面)を読み取る第２の両面読み取りモードを準備した。そして、これらのモードを、必要に応じ、自動的に、またはユーザの指定等に基づいて、選択可能に構成している。これによって、例えば、白黒の出力かカラーの出力か、スピード(生産性)を重視するのか、画質を重視するのか等の用途に応じて、両面読み取りモードを適切に選択し、これらのモードを利用することが可能となっている。
【００４３】
次に、上述した第２の両面読み取りモードすなわち反転パスを用いない、１パスによる両面同時読み取りについて詳細に説明する。
図１１は、読み取り対象となる両面原稿の一例であって原稿の開き方向を示すものであり、図１１(ａ)は左右開き原稿の表裏を、図１１(ｂ)は上下開き原稿の表裏を、それぞれ示している。ここで、左右開き原稿は、１枚の原稿の表と裏とでイメージの上下(天地)が同じものをいう。また、上下開き原稿は、１枚の原稿の表と裏とで、イメージの天地が逆転しているものをいう。なお、以下の説明においては、左右開き原稿および上下開き原稿の各原稿面において、イメージの上側を「天」、イメージの下側を「地」と呼ぶことにする。また、天地に対して左側、右側をそれぞれ「左」、「右」と呼ぶことにする。なお、図１１(ａ)(ｂ)は原稿を構成する用紙の短手側がイメージの天地となっている場合を例示しているが、用紙の長手側がイメージの天地となることもあり得る。
【００４４】
また、本実施の形態に係る画像読み取り装置では、１パスによる両面同時読み取りを行うに際し、ＵＩ(User Interface)等を介して拡大読み取りを行う要求を受け付けることができる。なお、この画像読み取り装置では、原稿の画像を最大４００％で拡大読み取りすることが可能となっている。
【００４５】
次に、１パスによる両面同時読み取りにおける原稿搬送、画像読み取りおよび画像データの処理の流れについて、図１２に示すフローチャートを参照しながら説明する。
まず、原稿読み取り動作を開始する前に、ユーザにより原稿トレイ１１上に原稿がセットされ、１パス両面同時読み取りを実行可能な状態になる。そして、ユーザより、ＵＩを介して、１パス両面同時読み取りにおける各種設定が指示され、セットされた原稿における原稿表面の天の位置、原稿の開き方向、原稿裏面の残す領域、原稿の拡大倍率についての入力が受け付けられる(ステップ１０１)。なお、原稿裏面の残す領域の詳細については後述する。次に、ステップ１０１において入力が受け付けられた原稿表面の天の位置、原稿の開き方向、原稿の拡大倍率、原稿裏面の残す領域に基づいて、バッファメモリ２０３における画像データ(裏面画像データ)の格納モードを決定する(ステップ１０２)。次いで、ステップ１０１において入力が受け付けられた原稿の拡大倍率に応じて原稿の搬送速度を設定し(ステップ１０３)、原稿の搬送を開始する(ステップ１０４)。
【００４６】
そして、搬送される原稿の表面画像はＣＣＤイメージセンサ７８によって読み取られ(ステップ１０５)、得られた表面読み取りデータに対して第１画像処理回路１００のＡ集積回路１１０およびＢ集積回路１３０によって画像処理が施され(ステップ１０６)、処理後の表面画像データが後段へと出力される(ステップ１０７)。一方、同一原稿の裏面画像はＣＩＳ５０によって読み取られ(ステップ１０８)、得られた裏面読み取りデータに対して第２画像処理回路２００のＣ集積回路２１０によって画像処理が施され(ステップ１０９)、処理後の裏面画像データがバッファメモリ２０３に格納される(ステップ１１０)。なお、これらステップ１０５からステップ１０７間での処理および、ステップ１０８からステップ１１０間での処理は、同一原稿の読み取りであることから、略並列に行われる。
次に、上述したステップ１０７における表面画像データの出力処理が終了したか否かが判断され(ステップ１１１)、終了していない場合には終了を待つ。一方、出力処理が終了している場合には、バッファメモリ２０３に格納された裏面画像データが読み出されて後段へと出力され(ステップ１１２)、処理を終了する。なお、さらに原稿トレイ１１上に原稿が存在している場合には、ステップ１０４に戻って処理を続行すればよい。
【００４７】
図１３は、図１２のステップ１０１に示す入力受付に使用されるＵＩ画面の一例を示している。このＵＩ画面は、画像読み取り装置に設けられたタッチパネルディスプレイ(図示せず)に表示される。なお、読み取りにおける拡大倍率については、図示しない他のＵＩ画面において設定がなされる。同図において、左側に示す「原稿の状態」とは、セットされた両面原稿の開き方向すなわち左右開きかあるいは上下開きかを入力する項目である。また、中央側に示す「原稿セット向き指定」とは、原稿表面の天の位置がどこを向いているかを入力する項目である。本実施の形態では、例えば、ユーザから見て画像読み取り装置の奥側に原稿表面の天の位置をセットした場合に、「上向き」が選択されるようになっている。
さらに、右側に示す「裏面領域指定」とは、上述した原稿裏面の残す領域、すなわち、原稿裏面の天地あるいは左右のどの領域における画像データをバッファメモリ２０３に残しておくかを入力する項目である。本実施の形態に係る画像読み取り装置では、上述したように、バッファメモリ２０３のメモリ容量がＡ３サイズの画像データに合わせて設定されている。このため、Ａ４サイズの両面原稿を１パスによる両面同時読み取りする場合に、１４２％以上の拡大倍率を設定すると、読み取られた表面画像データはそのまま出力することが可能であるものの、読み取られた裏面画像データはそのすべてをバッファメモリ２０３に格納することができないため、そのすべてを出力することができなくなる。
【００４８】
ここで、画像読み取り装置において許容される最大サイズを超える拡大倍率が設定される場合には、全領域の画像データを欲する場合よりも、その一部領域の画像データを欲していることが多い。これは、例えばこの画像読み取り装置をプリンタに接続してコピー機として使用する場合には、一部領域だけを拡大して出力(プリントアウト)したいという要請があることからも理解される。また、両面原稿の場合には、原稿の開き方向および原稿セット向きによって、原稿裏面の搬送方向先端側が裏面画像の天地左右のいずれになるかが変わる。
そこで、本実施の形態では、図１２に示すステップ１０２において、バッファメモリ２０３に裏面画像データを格納するための格納モードを設定することで、裏面画像のうちユーザが所望する領域の画像データを残すことができるようになっている。
【００４９】
次に、バッファメモリ２０３の格納モードの設定における処理の流れについて、図１４に示すフローチャートを参照しながら説明する。
まず、図１３に示すＵＩ画面において、原稿表面の天の位置が上に設定されたか否か(原稿セット向き指定が上向きとなっていたか)が判断される(ステップ２０１)。ここで、原稿表面の天の位置が上に設定されていた場合は、次に、ＵＩ画面において原稿の開き方向(原稿の状態)が上下開きに設定されたか否かが判断される(ステップ２０２)。ここで、原稿の開き方向が上下開きに設定されていた場合は、さらに、ＵＩ画面において原稿裏面の残す領域が左側に設定されたか否かが判断される(ステップ２０３)。そして、原稿裏面の残す領域が左側に設定されていた場合は、バッファメモリ２０３におけるメモリ書き込みを固定バッファ制御に設定し(ステップ２０４)、処理を終了する。一方、ステップ２０３において原稿裏面の残す領域が左側に設定されていなかった場合すなわち原稿裏面の残す領域が右側に設定されていた場合には、バッファメモリ２０３におけるメモリ書き込みをリングバッファ制御に設定し(ステップ２０５)、処理を終了する。なお、固定バッファ制御およびリングバッファ制御の詳細については後述する。
【００５０】
また、上述したステップ２０１において原稿表面の天の位置が上に設定されていなかった場合は、次に、原稿表面天の位置が下に設定されたか否か(原稿セット向き指定が下向きとなっていたか)が判断される(ステップ２０６)。ここで、原稿表面の天の位置が下に設定されていた場合は、次に、原稿の開き方向が上下開きに設定されていたか否かが判断される(ステップ２０７)。ここで、原稿の開き方向が上下開きに設定されていた場合、あるいは、上述したステップ２０２において原稿の開き方向が上下開きに設定されていなかった場合すなわち原稿の開き方向が左右開きに設定されていた場合は、さらに、原稿裏面の残す領域が左側に設定されたか否かが判断される(ステップ２０８)。原稿裏面の残す領域が左側に設定されていた場合は、バッファメモリ２０３におけるメモリ書き込みをリングバッファ制御に設定し(ステップ２０５)、処理を終了する。一方、ステップ２０８において原稿裏面の残す領域が左側に設定されていなかった場合すなわち原稿裏面の残す領域が右側に設定されていた場合には、バッファメモリ２０３におけるメモリ書き込みをバッファ制御に設定し(ステップ２０４)、処理を終了する。なお、ステップ２０７において原稿の開き方向が上下開きに設定されていなかった場合すなわち原稿の開き方向が左右開きに設定されていた場合は、上述したステップ２０３へと移行し、処理を続行する。
【００５１】
さらに、上述したステップ２０６において原稿表面の天の位置が下に設定されていなかった場合は、次に、原稿表面天の位置が左に設定されたか否か(原稿セット向き指定が左向きとなっていたか)が判断される(ステップ２０９)。ここで、原稿表面の天の位置が左に設定されていた場合は、次に、原稿の開き方向が上下開きに設定されていたか否かが判断される(ステップ２１０)。ここで、原稿の開き方向が上下開きに設定されていた場合は、さらに、原稿裏面の残す領域が天側に設定されたか否かが判断される(ステップ２１１)。原稿裏面の残す領域が天側に設定されていた場合は、バッファメモリ２０３におけるメモリ書き込みをリングバッファ制御に設定し(ステップ２０５)、処理を終了する。一方、ステップ２１１において原稿裏面の残す領域が天側に設定されていなかった場合すなわち原稿裏面の残す領域が地側に設定されていた場合には、バッファメモリ２０３におけるメモリ書き込みを固定バッファ制御に設定し(ステップ２０４)、処理を終了する。
【００５２】
さらにまた、上述したステップ２０９において原稿表面の天の位置が左に設定されていなかった場合は、結果的に、原稿表面の天の位置が右に設定されたということになる。そして、次に、原稿の開き方向が上下開きに設定されたか否かが判断される(ステップ２１２)。ここで、原稿の開き方向が上下開きに設定されていた場合、あるいは、上述したステップ２１０において原稿の開き方向が上下開きに設定されていなかった場合すなわち原稿の開き方向が左右開きに設定されていた場合は、さらに、原稿裏面の残す領域が天側に設定されたか否かが判断される(ステップ２１３)。原稿裏面の残す領域が天側に設定されていた場合は、バッファメモリ２０３におけるメモリ書き込みを固定バッファ制御に設定し(ステップ２０４)、処理を終了する。一方、ステップ２１３において、原稿裏面の残す領域が天側に設定されていなかった場合すなわち原稿裏面の残す領域が地側に設定されていた場合には、バッファメモリ２０３におけるメモリ書き込みをリングバッファ制御に設定し(ステップ２０５)、処理を終了する。なお、ステップ２１２において原稿の開き方向が上下開きに設定されていなかった場合すなわち原稿の開き方向が左右開きに設定されていた場合は、上述したステップ２１１へと移行し、処理を続行する。
【００５３】
次に、上述した固定バッファ制御およびリングバッファ制御について説明する。
固定バッファ制御とは、ＣＩＳ５０からバッファメモリ２０３に入力されてくる画像データをメモリ番地順に格納していき、画像データがバッファメモリ２０３のメモリ容量を超えた後すなわち所定の画像データが最後のメモリ番地に格納された後は、新たに入力されてくる画像データをバッファメモリ２０３に格納せずにそのままとするメモリ制御方式をいう。一方、リングバッファ制御とは、バッファメモリ２０３に入力されてくる画像データをメモリ番地順に格納していき、画像データがバッファメモリ２０３のメモリ容量を超えた後すなわち所定の画像データが最後のメモリ番地に格納された後は、新たに入力されてくる画像データをバッファメモリ２０３の最初のメモリ番地から上書きしつつ格納していくメモリ制御方式をいう。
従って、固定バッファ制御方式にてバッファメモリ２０３に画像データを格納する場合は、例えば図１５(ａ)に示すように原稿の搬送方向上流側(原稿トレイ１１にセットされた原稿の左側)の裏面画像データ(図中で「原稿」と書かれた領域)、換言すれば、読み出し開始側のデータがバッファメモリ２０３に残ることになる。また、リングバッファ制御方式にてバッファメモリ２０３に画像データを格納する場合は、例えば図１５(ｂ)に示すように原稿の搬送方向下流側(原稿トレイ１１にセットされた原稿の右側)の裏面画像データ(図中で「裏面」と書かれた領域)、換言すれば、読み出し終了側のデータがバッファメモリ２０３に残ることになる。
【００５４】
今、例えば上下開きのＡ４原稿を２００％の拡大倍率で読み取る場合であって、原稿表面の天の位置が左に設定されている場合について考えてみる。この場合、原稿裏面の天の位置は右になる。このような条件で１パスによる両面同時読み取りを行う場合、上述したように、原稿表面の画像データはそのまますべてを出力することができるが、原稿裏面の画像データはそのデータ量がバッファメモリ２０３の容量を超えてしまうため、バッファメモリ２０３に原稿裏面の画像データすべてを格納することはできず、結果として、原稿裏面の画像データのすべてを出力することは不可能になってしまう。
【００５５】
また、上下開きの原稿を原稿表面の天の位置が左となるように原稿トレイ１１にセットした場合、原稿表面は天側から読み取りが開始されるのに対し、原稿裏面は地側から読み取りが開始されることになる。固定バッファ制御でバッファメモリ２０３を制御した場合、バッファメモリ２０３には、原稿裏面の地側から順次画像データが格納されていき、メモリ容量一杯となった時点でこれ以上の画像データの格納が行われなくなる。つまり、この場合は、原稿裏面については地側の画像データを出力できることになる。一方、リングバッファ制御でバッファメモリ２０３を制御した場合、バッファメモリ２０３には、原稿裏面の地側から順次画像データが格納されていくが、メモリ容量一杯となった後も、格納済みの地側の画像データを上書きしながらさらに画像データが格納されていくことになる。つまり、この場合は、原稿裏面については天側の画像データを出力できることになる。
なお、この説明では、上下開きの原稿の原稿表面の天の位置を左に設定した例を説明しているが、原稿の開き方向と原稿表面天の位置との組み合わせにより、様々なケースが生じ得る。
【００５６】
そこで、本実施の形態では、１パスによる両面同時読み取りを行うに際して、原稿裏面の残す領域についての入力を受け付けると共に、予めユーザから原稿の開き方向、原稿表面の天の位置についての入力も受け付け、これらの認識結果に応じてバッファメモリ２０３に格納するメモリ制御方式を適宜設定するようにした。具体的には、バッファメモリ２０３を固定バッファ制御にて制御するかあるいはリングバッファ制御にて制御するかを決定するようにした。
これにより、本実施の形態では、１パス両面同時読み取りを行う場合であって、例えば設定された拡大倍率によって裏面画像データのすべてをバッファメモリ２０３に格納できないような事態が生じたとしても、ユーザが所望する領域については原稿裏面の画像データを取得することができる。特に、本実施の形態では、拡大読み取りを行うに際して、読み取られた画像データを電気的に拡大するのではなく、搬送速度を低下させるなどして機械的に画像データを拡大するようにしているので、解像度低下のない、高画質な画像データを取得することができる。
【００５７】
なお、本実施の形態においても、拡大倍率によっては、原稿裏面の画像データすべてをバッファメモリ２０３に格納できることがあり得る。この場合は、原稿裏面の画像データすべてを後段に出力することができる。
また、本実施の形態では、ＵＩ画面を介して入力されてくる情報、例えば原稿の開き方向、原稿表面の天の位置、原稿裏面の残す領域等に基づき、図１４に示すフローチャートに従ってバッファメモリ２０３の制御方式を決定するようにしていたが、これに限られるものではなく、例えば原稿の開き方向、原稿表面の天の位置、原稿裏面の残す領域とバッファメモリ２０３の制御方式とを対応付けたテーブルを予めＲＯＭ等に保持しておき、入力の受け付け結果に基づいてこのテーブルからバッファメモリ２０３の制御方式を決定するようにしてもよい。
【図面の簡単な説明】
【００５８】
【図１】本実施の形態が適用される画像読み取り装置を示した図である。
【図２】ＣＩＳを用いた読み取り構造を説明するための図である。
【図３】処理装置を説明するためのブロック図である。
【図４】信号処理部の構成をさらに詳述したブロック図である。
【図５】Ａ集積回路(ＡＳＩＣ-Ａ)の構成を示したブロック図である。
【図６】Ｂ集積回路(ＡＳＩＣ-Ｂ)の構成を示したブロック図である。
【図７】Ｃ集積回路(ＡＳＩＣ-Ｃ)の構成を示したブロック図である。
【図８】画像読み取りコントロールによって実行される処理の一例を示したフローチャートである。
【図９】(ａ),(ｂ)は、１パスによる片面読み取りモードと、ステップ１６に示した１パスによる両面同時読み取りモードの原稿パスを示した図である。
【図１０】(ａ)〜(ｄ)は、反転パスによる両面読み取りの原稿パスを示した図である。
【図１１】原稿の開き方向を示すものであって、(ａ)は左右開き原稿の表裏を、(ｂ)は上下開き原稿の表裏を示す図である。
【図１２】１パスによる両面同時読み取りにおける原稿搬送、画像読み取りおよび画像データの処理の流れを示したフローチャートである。
【図１３】原稿の向き、開き方向等の入力受付に使用されるＵＩ画面の一例を示す図である。
【図１４】バッファメモリの格納モードの設定における処理の流れを説明する図である。
【図１５】バッファメモリにおける固定バッファ制御およびリングバッファ制御を説明するための図である。
【符号の説明】
【００５９】
１０…原稿送り装置、１１…原稿トレイ、４０…排出トレイ、５０…ＣＩＳ、７０…スキャナ装置、７８…ＣＣＤイメージセンサ、８０…処理装置、８１…信号処理部、８２…ＡＦＥ(Analog Front End)、８３…ＡＤＣ(Analog to Digital Converter)、９０…制御部、９１…画像読み取りコントロール、９２…ＣＣＤ/ＣＩＳコントロール、９３…ランプコントロール、９４…スキャンコントロール、９５…搬送機構コントロール、１００…第１画像処理回路、１３０…Ｂ集積回路(ＡＳＩＣ-Ｂ)、２００…第２画像処理回路、２０１…第２ＣＰＵ、２０３…バッファメモリ、２１０…Ｃ集積回路(ＡＳＩＣ-Ｃ)、２１１…マルチプレックス(ＭＰＸ  Ｏ／Ｅ合成)回路、２１２…シェーディング補正部、２１３…黒線補正部、２１４…Ｌ＊変換(ＬＵＴ)部、２１５…副走査縮小部、２１６…主走査拡大縮小部、２１７…フィルタ部、２１８…下地除去部、２１９…ルックアップテーブル(ＬＵＴ)、２２０…誤差拡散処理(Ｐａｃｋｉｎｇ誤差拡散)部、２２１…シェーディングメモリ、２２２…下地検知部、２２３…ＣＰＵインタフェース
【図１】
2006013822.tif 000003
【図２】
2006013822.tif 000004
【図３】
2006013822.tif 000005
【図４】
2006013822.tif 000006
【図５】
2006013822.tif 000007
【図６】
2006013822.tif 000008
【図７】
2006013822.tif 000009
【図８】
2006013822.tif 000010
【図９】
2006013822.tif 000011
【図１０】
2006013822.tif 000012
【図１１】
2006013822.tif 000013
【図１２】
2006013822.tif 000014
【図１３】
2006013822.tif 000015
【図１４】
2006013822.tif 000016
【図１５】
2006013822.tif 000017